(57)【要約】【課題】  毛髪に対するマイナスイオンの効果を十分に発現できる。使用感が向上する。【解決手段】  グリップを兼ねた本体ケース１内部に送風ファン２とヒータユニット３を設けた本体ユニット４と、本体ユニット４の送風吹出口５に分離着脱可能なブラシユニット６とで構成されるブラシ付きヘアードライヤー７である。本体ユニット４側にマイナスイオン発生器８と、複数のイオン放出口９とを設ける。イオン放出口９が本体ユニット４の送風吹出口５の外側に位置している。【選択図】        図１
2005349139.tif 000002
【特許請求の範囲】
【請求項１】
グリップを兼ねた本体ケース内部に送風ファンとヒータユニットを設けた本体ユニットと、本体ユニットの送風吹出口に分離着脱可能なブラシユニットとで構成されるブラシ付きヘアードライヤーにおいて、本体ユニット側にマイナスイオン発生器と、複数のイオン放出口とを設け、且つ、イオン放出口が本体ユニットの送風吹出口の外側に位置していることを特徴とするブラシ付きヘアードライヤー。
【請求項２】
イオン放出口が２箇所設けてあり、該２箇所のイオン放出口の位置が上記ブラシユニットのブリッスルの植毛面側と、ブリッスルの植毛面と反対側の面に対応する位置であることを特徴とする請求項１記載のブラシ付きヘアードライヤー。
【請求項３】
イオン放出口が２箇所設けてあり、ブラシユニットにブリッスルを植毛した植毛面を設け、ブラシユニットのブリッスルの植毛面の両側の側面に対応する位置に、上記２箇所のイオン放出口を位置させてあることを特徴とする請求項１記載のブラシ付きヘアードライヤー。
【請求項４】
イオン放出口からのイオンの放出方向がブラシユニット側に向けてあることを特徴とする請求項１乃至請求項３のいずれかに記載のブラシ付きヘアードライヤー。
【発明の詳細な説明】
【技術分野】
【０００１】
本発明は、毛髪を梳くブラシと、加温された温風を含む送風とで毛髪のセットや乾燥を行うとともに、マイナスイオンを毛髪に吹き付けて毛髪のトリートメントを行うブラシ付きヘアードライヤーに関するものである。
【背景技術】
【０００２】
マイナスイオンとは、空気中の空気分子にマイナス電子が付着した状態で、さらに水を数個取り込んだものである。マイナスイオンの粒子径は非常に小さく、水分子を取り込んだマイナスイオンは、毛髪に付着すると、髪内部まで浸透し易く、毛髪をしっとりさらさらにする等の好ましい効果をもたらすといわれている。また、マイナスイオンは、特に毛髪のブラッシング時に吹き付けると、ブラッシング時に毛髪に発生する静電気を中和低減することができ、静電気発生による毛髪の広がりを低減して毛髪のまとまり性を向上する効果があると言われている。
【０００３】
また、マイナスイオンは、加熱されると、マイナスイオンに含まれる水分子の温度が上昇して高いエネルギーを持ち、毛髪に付着しても再び空気中に蒸散し易い状態となるため、毛髪をしっとりさらさらにする効果は低減するといわれている。
【０００４】
従来、上記のようなマイナスイオンの作用及び特定を利用した髪ケア機器が広く実施されている。特に、マイナスイオン発生器を設けたブラシ付きヘアードライヤーに関しては、例えば、特許文献１が知られている。
【０００５】
この特許文献１に示された従来例のものを模式的に示すと図３のようなものである。すなわち、本体ケース１を主体とする本体ユニット４と、本体ケース１の送風吹出口５に装着されるブラシユニット６を外殻体としてブラシ付きヘアードライヤー７を構成し、本体ケース１内部に送風ファン２とモータ１４、およびヒータユニット３などを直列状に配置しており、本体ユニット４から吹出された送風は、ブラシユニット６の内部で直交する向きへ変更されて、一群のブリッスル１０の間から吹出し、毛髪等に供給されるようになっている。また、マイナスイオンに関しては、ブラシユニット６内部にマイナスイオン発生器８を具備し、ブリッスル１０の植毛面１５にマイナスイオンを放出するイオン放出口９を設けてある。
【０００６】
上記構成によって、毛髪の乾燥およびセット等を行うブラッシング時において、マイナスイオンの作用を発現している。
【０００７】
しかしながら、上記の特許文献１に示された従来例においては、下記のような幾つかの問題がある。
【０００８】
上記従来例においては、イオン放出口９がブリッスル１０の植毛面１５に位置しているので、ブラッシング時に、ブリッスル１０面が毛髪で覆われてイオン放出口９が毛髪で蓋をされるような状況となり、マイナスイオンが付着する毛髪が限定されてしまい、これにより、ブラッシングによって発生する静電気の低減が、イオン放出口９に面した毛髪を中心とした毛髪部位にのみ行われ、静電気の低減等のマイナスイオンの好ましい効果の発現が十分でないという問題がある。
【０００９】
また、上記従来例においては、イオン発生器を具備しないブラシユニット６に比べて重量の重いマイナスイオン発生器８をブラシユニット６内部に具備しているため、本体ユニット６のグリップに対して相対的に離れた位置で重量が増加することとなり、本体ユニット６を手で把持した時の重量バランスが悪化し、その結果、ブラッシング時の使用感が悪化して、マイナスイオンの効果を含めて毛髪の仕上がりに悪影響を与えるという問題がある。
【００１０】
更に、上記従来例においては、本体ユニット６からの温風等の送風中にイオン放出口９が位置しているので、ブラシ付きヘアードライヤー７を温風を送風して使用する際にはマイナスイオンが加熱され、マイナスイオンに含まれる水分子は温度上昇し、高いエネルギーを持つことになって、毛髪に付着しても再び空気中に蒸散しやすい状態となる。そのため、マイナスイオンによる毛髪をしっとり、さらさらにする効果が十分ではないという問題がある。
【特許文献１】特開２００３−６１７３６号公報
【発明の開示】
【発明が解決しようとする課題】
【００１１】
本発明は上記の従来の問題点に鑑みて発明したものであって、毛髪に対するマイナスイオンの効果を十分に発現でき、また、使用感も向上するブラシ付きヘアードライヤーを提供することを課題とするものである。
【課題を解決するための手段】
【００１２】
上記課題を解決するために本発明に係るブラシ付きヘアードライヤーは、グリップを兼ねた本体ケース１内部に送風ファン２とヒータユニット３を設けた本体ユニット４と、本体ユニット４の送風吹出口５に分離着脱可能なブラシユニット６とで構成されるブラシ付きヘアードライヤー７において、本体ユニット４側にマイナスイオン発生器８と、複数のイオン放出口９とを設け、且つ、イオン放出口９が本体ユニット４の送風吹出口５の外側に位置していることを特徴とするものである。
【００１３】
このように本体ユニット４側にマイナスイオン発生器８と、イオン放出口９とを設けているので、従来のようにブリッスル１０の植毛面１５にイオン放出口９を設けたもののようにイオン放出口９が毛髪で覆われることによってイオン放出口９上を通過する毛髪を中心とした部位に制限されてしまうことを防止し、毛髪の広い範囲にマイナスイオンを付着させることができ、しかも、本体ユニット４側に複数のイオン放出口９を設けてあるので、より毛髪の広い範囲にマイナスイオンを付着させることができる。また、イオン放出口９が本体ユニット４の送風吹出口５の外側に位置しているので、マイナスイオンが送風ファン２とヒータユニット３を有する本体ケース１からの送風によって加熱されてマイナスイオンの毛髪に対する効果が低減してしまうのを防止することができる。更に、本体ユニット４側にマイナスイオン発生器８と、イオン放出口９とを設けてあるので、ブラシユニット６の重量増加による使用時の重量バランスの悪化を大幅に低減して、使用感を改善し、マイナスイオンの効果を含む毛髪の仕上がりに好影響を与えることができる。
【００１４】
また、イオン放出口が２箇所設けてあり、該２箇所のイオン放出口９の位置が上記ブラシユニット６のブリッスル１０の植毛面１５側と、ブリッスル１０の植毛面１５と反対側の面に対応する位置であることが好ましい。
【００１５】
このような構成とすることで、ブリッスル１０の植毛面１５側に対応した位置のイオン放出口９はブラッシング時において、毛髪に近接した位置からイオンを放出、付着させることが可能であり、また、ブリッスル１０の植毛面１５と反対側の面に対応した位置のイオン放出口９は、ブラシユニット６の背面側の空間にイオンが広く分布したイオン雰囲気を形成して、ブラッシング時に、ブリッスル１０の植毛面１５側に対応した位置のイオン放出口９から放出されるイオンで得られるイオン効果の不完全性分を十分に補完できるものである。
【００１６】
また、ブラシユニット６にブリッスル１０を植毛した植毛面１５を設け、ブラシユニット６のブリッスルの植毛面１５の両側の側面に対応する位置に、上記２箇所のイオン放出口９を位置させることが好ましい。
【００１７】
このような構成とすることで、ブラッシング時に、毛髪がブリッスル１０の植毛面１５を通過する前後にイオンを付着させることが可能となり、これにより、ブリッスル１０の植毛面１５を通過する毛髪は、その通過前にイオン効果によってさらさらになり、その通過時の静電気発生を抑制され、更に、ブリッスル通過語に、帯びている静電気を中和除去、およびイオンの効果でしっとりさらさら感を増すことになり、この結果、毛髪の仕上がりが向上する。
【００１８】
また、イオン放出口９からのイオンの放出方向がブラシユニット６側に向けてあることが好ましい。
【００１９】
このような構成とすることで、マイナスイオンを毛髪に向けて効果的に放射することが可能となり、マイナスイオンの毛髪への効果を向上させることができる。
【発明の効果】
【００２０】
本発明は、毛髪の広い範囲にマイナスイオンを付着させることができるとともに送風によって加熱されてマイナスイオンの毛髪に対する効果が低減してしまうのを防止することができて、毛髪に対するマイナスイオンの効果を十分に発現できるものであり、また、マイナスイオン発生器を備えたにもかかわらず、ブラシユニットの重量増加による使用時の重量バランスの悪化を大幅に低減して、使用感を改善できて、マイナスイオンの効果を含む毛髪の仕上がりに好影響を与えるという利点がある。
【発明を実施するための最良の形態】
【００２１】
以下、本発明を添付図面に示す実施形態に基いて説明する。
【００２２】
本発明のブラシ付きヘアードライヤー７は、本体ユニット４と、本体ユニット４の先端ブの送風吹出口５に分離着脱可能なブラシユニット６とで構成してある。
【００２３】
本体ユニット４は、略筒状をしたグリップを兼ねた本体ケース１の内部に送風ファン２、モータ１４、
３などを本体ケース１の軸方向に直列に設けて構成してあり、略筒状をした本体ユニット４の軸方向の先端部には前述のように送風吹出口５が設けてあり、軸方向の後端部には空気吸い込み口１１が設けてある。
【００２４】
送風ファン２を運転することで空気吸い込み口１１から吸い込まれ、ヒータユニット３を通過して本体ユニット４の送風吹出口５から吹出された送風は、本体ユニット４の送風吹出口５に装着されたブラシユニット６の内に供給され、ブラシユニット６内部で直交する向きに方向を変えられて、ブラシユニット６のブリッスル１０の植毛面１５に設けた孔（図示を省略しているがこの孔は一群のブリッスル１０間に設けてある）から吹出し、毛髪等へ供給されるようになっている。
【００２５】
マイナスイオン発生器８およびイオン放出口９は、本体ユニット４に複数箇所、実施形態では２箇所に設けてあり、イオン放出口９は、ヒータユニット３や送風吹出口５の外側（実施形態では本体ケース１の外側部分）に位置し、ヒータユニット３を通過して本体ユニット４から吹出される送風の外側にマイナスイオンを放出するようになっている。
【００２６】
本体ユニット４に設けた２箇所のイオン放出口９から放出されたマイナスイオンは、従来のようにブリッスル１０の植毛面１５にイオン放出口９を設けるもののようにブラッシング時にイオン放出口９が毛髪で覆われることがなく、したがって、従来に比べて毛髪の広い範囲にマイナスイオンを付着させることができる。また、この場合、イオン放出口９が本体ユニット４の送風吹出口５の外側に位置しているので、マイナスイオンが本体ユニット４の送風によって加熱されてマイナスイオンの毛髪に対する効果が低減してしまうというのを防止することができるものである。更に、本体ユニット４側にマイナスイオン発生器８およびイオン放出口９を設けてあるので、グリップとなる本体ユニット４側が重量増加することになって、ブラシユニット６側は重量増加せず、これにより、ブラシユニット６の重量増加による使用時の重量バランスの悪化が無くて使用感を改善し、マイナスイオンの効果を含む毛髪の仕上がりに好影響を与えることになる。
【００２７】
図１に示す実施形態においては、ブラシユニット６の外面部の一面にブリッスル１０を植毛した植毛面とし、本体ユニット４の先端部の外面部にイオン放出口を２箇所設け、該２箇所のイオン放出口９の位置を、上記ブラシユニット６のブリッスル１０の植毛面１５側と、ブリッスル１０の植毛面１５と反対側の面に対応する位置としてある。
【００２８】
このように、ブラシユニット６のブリッスル１０の植毛面１５側と、ブリッスル１０の植毛面１５と反対側の面に対応する本体ユニット４の先端部の外面部の位置にそれぞれイオン放出口９を設けることで、ブリッスル１０の植毛面１５側に対応した位置のイオン放出口９はブラッシング時において、毛髪に近接した位置からイオンを放出、付着させることが可能であり、また、ブリッスル１０の植毛面１５と反対側の面に対応した位置のイオン放出口９は、ブラシユニット６の背面側の空間にイオンが広く分布したイオン雰囲気を形成して、ブラッシング時に、ブリッスル１０の植毛面１５側に対応した位置のイオン放出口９から放出されるイオンで得られるイオン効果の不完全性分を十分に補完できることになる。
【００２９】
図２に示す実施形態においては、ブラシユニット６の外面部の一面をブリッスル１０を植毛した植毛面１５とし、本体ユニット４の先端部の外面部にイオン放出口９を２箇所設け、該２箇所のイオン放出口９の位置を、上記ブラシユニット６の外面部のうちブリッスルの植毛面１５の両側の側面に対応する位置にそれぞれイオン放出口９を位置させてある。
【００３０】
このように、ブラシユニット６の外面部のうちブリッスルの植毛面１５の両側の側面に対応する本体ユニット４の先端部の外面部の位置にそれぞれイオン放出口９を設けることで、ブラッシング時に、毛髪がブリッスル１０面を通過する前後にイオンを付着させることが可能となり、これにより、ブリッスル１０面を通過する毛髪は、その通過前にイオン効果によってさらさらになり、その通過時の静電気発生を抑制され、更に、ブリッスル通過後に、帯びている静電気を中和除去、およびイオンの効果でしっとりさらさら感を増すことになり、この結果、毛髪の仕上がりを向上させることができる。
【００３１】
また、上記いずれの実施形態においても、図１、図２に示すように、イオン放出口９からのイオンの放出方向がブラシユニット６側に向けてあり、マイナスイオンを毛髪に向けて効果的に放射することが可能となり、マイナスイオンの毛髪への効果を向上させることができる。
【００３２】
また、いずれの実施形態においても、本体ユニット４の先端部の外面部に設けたイオン放出口９の本体ユニット４の開口縁部の外面部にイオン放出口９の形成材料以上の導電性を有する材料で形成された帯電体１２を設けてある。帯電体１２は、放出されたマイナスイオンによって、その周辺部材より大きく帯電し、このためマイナスイオンが同帯電体方向に拡散分布するのを低減して、意図したイオン放出方向へ、より効率的且つ効果的にマイナスイオンを分布させることが可能となる。その結果、マイナスイオンの毛髪への効果を向上することができることになる。
【００３３】
上記の帯電体１２の形状はどのようなものでもかまわないが、本体ユニット４の長手方向軸の垂直面に対して広い面積を有している程、マイナスイオンの拡散分布をブラシユニット６側へより制限することができるので好ましいものである。
【００３４】
また、本体ケース１のグリップ部１３の一部にはイオン放出口９を形成する部材の一部と、一体に形成され、且つ、導電性が本体ケース１を構成する部材の導電性に対して相対的に高いグリップ部材を使用している。これにより、グリップ部１３の帯電を、本体ユニット４を握る手を介してアースに逃がすことが可能となり、グリップ部１３の帯電を低減することが可能となる。したがって、本体ケース１のイオン放出口９を形成する部位の帯電も防止できることになり、イオン放出口９の部材がイオンによって帯電してイオンの放出量が減ってしまうことを軽減することが可能となる。その結果、イオン放出口９は、十分なイオン量を放出して、マイナスイオンの毛髪への効果を向上させることができることになる。
【００３５】
また、イオン放出口９からヒータユニット３内部を通過せずに温度上昇が小さい送風である冷風をイオン放出口９から吐出するようにしてもよい。このように冷風のマイナスイオンを吐出することで、イオン分子の温度が低く、イオン分子に含まれる水分子も温度が低く、低いエネルギーしか持っていないことになり、毛髪に付着したのち、再び空気中に蒸散するためには多くのエネルギーを必要とすることから、冷風マイナスイオンを毛髪に当てた場合、蒸発することなく髪に残った状態となってしっとりとした効果が増大し、また、冷風に乗って放出したマイナスイオンが広範囲にわたって毛髪に付着し、これによりマイナスイオンの毛髪への効果をさらに向上させることができる。
【００３６】
なお、マイナスイオン発生器８は、添付図面に示す実施形態では２個使用している例を示しているが、マイナスイオン発生器８の構成部材において、例えば、高圧発生回路等の共用使用可能なものは共用化し、低コスト化、省スペース化、省重量化を図るようにしても良いものである。
【００３７】
また、ブラシユニット６としてはスチーム発生機能付きのものを使用してもよく、この場合には毛髪に対してマイナスイオンだけでなく、スチームも付着させることができ、毛髪がしっとりする等の効果が更に向上することになる。
【図面の簡単な説明】
【００３８】
【図１】本発明の一実施形態の側面から見た概略構成図である。
【図２】本発明の他の実施形態を正面から見た概略構成図である。
【図３】従来例を示す側面から見た概略構成図である。
【符号の説明】
【００３９】
１  本体ケース
２  送風ファン
３  ヒータユニット
４  本体ユニット
５  送風吹出口
６  ブラシユニット
７  ブラシ付きヘアードライヤー
８  マイナスイオン発生器
９  イオン放出口
１０  ブリッスル
【図１】
2005349139.tif 000003
【図２】
2005349139.tif 000004
【図３】
2005349139.tif 000005